(57)【要約】導波路に沿って配置された複数のデジタルスーパーモード分布ブラッグ反射器（ＤＳ−ＤＢＲ）格子部を備え、前記各ＤＳ−ＤＢＲ格子部は、所定のスペクトル領域にわたって光を透過又は反射するように構成され、前記所定のスペクトル領域は、他のＤＳ−ＤＢＲ格子部のスペクトル領域とは異なっており、前記各ＤＳ−ＤＢＲ格子部は、複数であるＭ個の格子サブ領域を含み、各格子サブ領域は、ＤＳ−ＤＢＲ格子部のスペクトル領域内のスペクトルサブバンドに対応しており、前記各格子サブ領域は、正の電気接点と負の電気接点とを含み、前記正及び負の電気接点間に電気的バイアスが印加されると、前記各格子サブ領域は、スペクトルサブバンドの光を透過又は反射するように構成されていることを特徴とするマルチセクションデジタルスーパーモード分布ブラッグ反射器（ＭＳＤＳ−ＤＢＲ）。【選択図】図１Ａ
2018532277.tif 000002
【特許請求の範囲】
【請求項１】
マルチセクションデジタルスーパーモード分布ブラッグ反射器（ＭＳＤＳ−ＤＢＲ）であって、
導波路に沿って配置された複数のデジタルスーパーモード分布ブラッグ反射器（ＤＳ−ＤＢＲ）格子部を備え、
前記各ＤＳ−ＤＢＲ格子部は、所定のスペクトル領域にわたって光を透過又は反射するように構成され、前記所定のスペクトル領域は、他のＤＳ−ＤＢＲ格子部のスペクトル領域とは異なっており、
前記各ＤＳ−ＤＢＲ格子部は、複数の格子サブ領域を含み、各格子サブ領域は、ＤＳ−ＤＢＲ格子部のスペクトル領域内のスペクトルサブバンドに対応しており、
前記各格子サブ領域は、正の電気接点と負の電気接点とを含み、
前記正及び負の電気接点間に電気的バイアスが印加されると、前記各格子サブ領域は、スペクトルサブバンドの光を透過又は反射するように構成されていることを特徴とするマルチセクションデジタルスーパーモード分布ブラッグ反射器。
【請求項２】
前記複数のＤＳ−ＤＢＲ格子部の２以上の間で共有される共通電極構造を備え、
前記共通電極構造は、共通電極を含み、
前記共通電極は、２以上のＤＳ−ＤＢＲ格子上の電気接点に接続され、前記２以上のＤＳ−ＤＢＲ格子部のそれぞれの格子サブ領域のそれぞれに電気的バイアスを同時に印加可能であることを特徴とする請求項１に記載のマルチセクションデジタルスーパーモード分布ブラッグ反射器。
【請求項３】
前記共通電極構造は、各ＤＳ−ＤＢＲ上の格子サブ領域の数に対応する数の共通電極を含み、
前記共通電極の各々は、各ＤＳ−ＤＢＲ格子部上のそれぞれの電気接点に接続され、
各ＤＳ−ＤＢＲ格子部のそれぞれの格子サブ領域に電気的バイアスを同時に提供するように、
前記共通電極のいずれか一つに印加される電気的バイアスは、ＤＳ−ＤＢＲ格子部のそれぞれの格子サブ領域に、そのスペクトルサブバンドの光を透過又は反射させることを特徴とする請求項２に記載のマルチセクションデジタルスーパーモード分布ブラッグ反射器。
【請求項４】
前記共通電極は正電極であることを特徴とする請求項２に記載のマルチセクションデジタルスーパーモード分布ブラッグ反射器。
【請求項５】
一つの共通負電極が、全てのＤＳ−ＤＢＲ格子部の各格子サブ領域に接続するように配置されていることを特徴とする請求項４に記載のマルチセクションデジタルスーパーモード分布ブラッグ反射器。
【請求項６】
複数の共通負電極を備え、
前記複数の共通負電極の各々は、選択が望まれるＤＳ−ＤＢＲ格子部に対応する共通負電極に負のバイアスを印加することによってＭＳＤＳ−ＤＢＲの大まかな選択を達成するように、かつ、選択が望まれる格子サブ領域へ電気的に接続される共通の正の電極に正のバイアスを印加することによって、ＭＳＤＳ−ＤＢＲの精密な選択を達成するように、複数のＤＳ−ＤＢＲ格子セクションの各々一つの中の格子サブ領域の全てに負のバイアスを印加するように構成されることを特徴とする請求項４に記載のマルチセクションデジタルスーパーモード分布ブラッグ反射器。
【請求項７】
半導体光増幅器（ＳＯＡ）と、
請求項６に記載のマルチセクションデジタルスーパーモード分布ブラッグ反射器（ＭＳＤＳ−ＤＢＲ）とを有することを特徴とする離散波長可変レーザ。
【請求項８】
前記ＤＳ−ＤＢＲ格子部の各々が透過型ＤＳ−ＤＢＲであることを特徴とする請求項１から６のいずれか一つに記載のマルチセクションデジタルスーパーモード分布ブラッグ反射器。
【請求項９】
前記ＤＳ−ＤＢＲ格子部の各々が反射型ＤＳ−ＤＢＲであることを特徴とする請求項１から６のいずれか一つに記載のマルチセクションデジタルスーパーモード分布ブラッグ反射器。
【請求項１０】
前記ＤＳ−ＤＢＲ格子部の各々が四つの格子サブ領域を備える請求項８又は９に記載のマルチセクションデジタルスーパーモード分布ブラッグ反射器。
【請求項１１】
四つのＤＳ−ＤＢＲ格子部を備える請求項８又は９に記載のマルチセクションデジタルスーパーモード分布ブラッグ反射器。
【請求項１２】
前記各格子サブ領域はＰＩＮダイオード接合を含み、
各スペクトルサブバンドの透過率又は反射率を制御するためにＰＩＮ接合部に電気的バイアスを印加するために、前記正の電気接点及び前記負の電気接点は、前記ＰＩＮダイオード接合のｐ型及びｎ型ドープ領域の各々に位置していることを特徴とする請求項１から６又は８から１１のいずれか一つに記載のマルチセクションデジタルスーパーモード分布ブラッグ反射器。
【請求項１３】
前記ＰＩＮダイオード接合が水平ＰＩＮ接合であることを特徴とする請求項１２に記載のマルチセクションデジタルスーパーモード分布ブラッグ反射器。
【請求項１４】
半導体光増幅器（ＳＯＡ）と、
請求項１に記載のマルチセクションデジタルスーパーモード分布ブラッグ反射器（ＭＳＤＳ−ＤＢＲ）と、
複数であるＰ個のスペクトル通過帯域を有する粗スペクトルフィルタとを備え、
前記粗スペクトルフィルタのＰ個のスペクトル通過帯域のそれぞれは、ＭＳＤＳ−ＤＢＲのＤＳ−ＤＢＲ格子部の一つのスペクトル領域に対応することを特徴とする離散波長可変レーザ。
【請求項１５】
前記ＭＳＤＳ−ＤＢＲは、前記複数のＤＳ−ＤＢＲ格子部の２以上の間で共有される共通電極構造を備え、
前記共通電極構造は、複数の共通電極を含み、
前記複数の共通電極の数は、各ＤＳ−ＤＢＲ上の格子サブ領域の数に対応し、
前記各共通電極は、各ＤＳ−ＤＢＲ格子部上の電気接点のそれぞれに接続されると共に、各ＤＳ−ＤＢＲ格子部の格子サブ領域の一つに電気的バイアスをそれぞれ与え、
前記共通電極のいずれか一つに印加された電気的バイアスは、各ＤＳ−ＤＢＲ格子部内の格子サブ領域のそれぞれにおいてスペクトルサブバンドの光を透過又は反射させることを特徴とする請求項１４に記載の離散波長可変レーザ。
【請求項１６】
前記半導体光増幅器（ＳＯＡ）は、反射半導体光増幅器（ＲＳＯＡ）であることを特徴とする請求項１４又は１５に記載の離散波長可変レーザ。
【請求項１７】
前記導波路がシリコンフォトニックス導波路であることを特徴とする請求項１４から１６のいずれか一つに記載の離散波長可変レーザ。
【請求項１８】
前記粗スペクトルフィルタは、透過型ＤＳ−ＤＢＲ（ＴＤＳ−ＤＢＲ）であり、
前記透過型ＤＳ−ＤＢＲは、複数の透過帯域を有し、
前記各透過帯域は  ＭＳＤＳ−ＤＢＲのＤＳ−ＤＢＲ格子部のそれぞれのスペクトル領域であることを特徴とする請求項１４から１７のいずれか一つに記載の離散波長可変レーザ。
【請求項１９】
前記導波路は、シリコンフォトニックス導波路であることを特徴とすることを特徴とする請求項１から６又は８から１１のいずれか一つに記載のマルチセクションデジタルスーパーモード分布ブラッグ反射器。
【請求項２０】
離散波長可変レーザであって、
半導体光増幅器（ＳＯＡ）と、
正の整数であるＮ個の格子サブ領域を有し、各格子サブ領域がＤＳ−ＤＢＲ格子のスペクトル領域内のスペクトルサブバンドに対応する反射型ＤＳ−ＤＢＲ格子と、
各格子サブ領域は、正の電気接点及び負の電気接点とを備え、
制御回路は、Ｎ個の格子サブ領域のそれぞれの正の電気接点及び負の電気接点の間に印加されるべき電気的バイアスを与え、前記各格子サブ領域がそれぞれのスペクトルサブバンドの光を透過又は反射するかを制御することを特徴とする離散波長可変レーザ。
【請求項２１】
前記ＤＳ−ＤＢＲの前記Ｎ個の格子サブ領域の各々はＰＩＮ接合を含み、
前記正の電気接点及び前記負の電気接点は、対応するスペクトルサブバンドの透過率又は反射率を制御するために、前記ＰＩＮ接合のｐ型及びｎ型ドープ領域にそれぞれに配置されていることを特徴とする請求項２０に記載の離散波長可変レーザ。
【請求項２２】
各ＰＩＮ接合が、水平ＰＩＮ接合であることを特徴とする請求項２０に記載の離散波長可変レーザ。
【発明の詳細な説明】
【技術分野】
【０００１】
本発明は、分布ブラッグ反射器（ＤＢＲ）に関し、特に、マルチセクションデジタルスーパーモード分布ブラッグ反射器（ＭＳＤＳ−ＤＢＲ）及びＭＳＤＳ−ＤＢＲを含む離散波長可変レーザに関する。
【背景技術】
【０００２】
連続的に同調可能なレーザは十分に確立されており、電気通信の用途においては一般的である。通信用レーザは固定グリッド（例えば、ＩＴＵグリッド）に対して動作するが、可変レーザは様々な用途に合わせて設定することができ、波長調整可能性は、レーザの経年変化による波長ドリフトの補正を可能にする点で望ましい。残念なことに、完全な範囲で連続的な同調可能とするために、特にデジタル・アナログ変換（ＤＡＣ）チップが必要であることから、高価で電力を消費する電子回路をもたらす。
【０００３】
利得媒体に格子が組み込まれた分布帰還型（ＤＦＢ）レーザは、特に可変性が必要とされる場合には、分布ブラッグ反射器（ＤＢＲ）レーザに置き換えられている。広範囲で同調可能とするために、複数の導波路回折格子が周期的なブランク領域と連続的に接続され、これらの回折格子はくし型回折格子として知られているサンプリングされた回折格子（ＳＧ）ＤＢＲレーザが典型的に使用される。こうして、必要な発振波長に同調できる反射率ピークが生成される。
【０００４】
同調可能レーザの別の設計では、デジタルスーパーモードＤＢＲ（ＤＳ−ＤＢＲ）を利用できる。ＤＳ−ＤＢＲの設計は、ＤＡＣが不要な点でＳＧ−ＤＢＲより優れている。しかし、全てが半導体チップ上に作られた従来の同調可能レーザは、制御用のＤＡＣと共に格子を含むことができる。従って、ＤＳ−ＤＢＲ設計原理に基づくが、より安価で消費電力が低い制御エレクトロニクス、特にＤＡＣを必要としない同調可能レーザが必要とされている。
【０００５】
例えば、チップのヒータに電極を組み込むことによって、格子を熱的に調整できる。しかし、動作速度のために、例えばｐｉｎ又はｐｎダイオード接合にバイアスを加えることによって、電流注入による調整を使用できる。
【０００６】
従来技術のIII−Ｖ半導体材料システムにおける可変レーザの格子は、共通の接地又は負電極を有する垂直ｐｉｎダイオード接合を有するとよい。これらのレーザでは、ＤＳ−ＤＢＲのような複数の格子サブ領域は、別々の駆動接点を必要とするが、共通の接地を共有しなければならない。
【発明の概要】
【０００７】
従って、本発明は、第１の態様によれば、導波路に沿って設けられた、複数であるＰ個のデジタルスーパーモードブラッグ分布反射器（ＤＳ−ＤＢＲ）の格子部を備えるマルチセクションデジタルスーパーモード分布ブラッグ反射器（ＭＳＤＳ−ＤＢＲ）であって、各ＤＳ−ＤＢＲ格子部は、他のＤＳ−ＤＢＲ格子部のスペクトル領域と異なる所定のスペクトル領域において光を透過又は反射するように構成され、各ＤＳ−ＤＢＲ格子部は、ＤＳ−ＤＢＲのスペクトル領域内のスペクトルサブバンドに対応する複数であるＭ個の格子サブ領域を含み、各格子サブ領域は、正の電気接点と負の電気接点とを含み、前記格子サブ領域は、正の電気接点と負の電気接点との間に電気的バイアスが供給されたときに、スペクトルサブバンドの光を透過又は反射するように構成される。ここで、「複数であるＰ」は、Ｐ個の要素を意味し、Ｐは正の整数である。
【０００８】
本発明のいくつかの実施形態では、各ＤＳ−ＤＢＲ格子部は、ダイオード領域のような光電子領域を含む。例えば、各ＤＳ−ＤＢＲサブ領域がｐｉｎダイオード接合を含む場合、ＤＳ−ＤＢＲサブ領域の電気的接続は、ｐｉｎ接合に電気的バイアスを供給し、光電子特性、すなわちＭ個のスペクトルサブバンドの各々の透過率または反射率を制御するための仕組みを提供する。
【０００９】
ｐｉｎダイオード接合は水平ｐｉｎ接合でもよい。接合部は水平だと考えられ、導波路の一方の側壁の（及び／又は、その中に延在する）第１のドープ領域と、導波路の他方の側壁の（及び／又は、その中に延在する）第２のドープ領域によって形成される。それゆえ、全て又は少なくとも大部分の半導体接合のドープ領域は、水平面に沿っている。
【００１０】
水平接合は、多重接合領域の駆動及び接続、駆動スキームの複雑さ、接続の容易さ、大きさ及び形状に関して、導波路の上又は下ではなく、導波路のいずれかの側のドープ領域の位置で、より大きな自由度を生じさせるので、設計及び製造の両方の柔軟性を高めることができる。本発明に特に関連して、正及び負の電極の両方が複数の接点に分かれ、駆動回路を簡素化し、格子の数を減らし、より短いレーザキャビティを可能にする水平ｐｉｎダイオード接合を提供できる。これは、垂直設計レーザの正の接点のみが複数のセクションに分かれるので、共通のグランドを共有する典型的な垂直ｐｉｎレーザでは不可能であろう。
【００１１】
いくつかの実施形態では、マルチセクションデジタルスーパーモード分布ブラッグ反射器は、ＭＳＤＳ−ＤＢＲの２以上の複数のＤＳ−ＤＢＲ格子部の間で共有される共通電極構造を含む。共通電極構造は、２以上のＤＳ−ＤＢＲ格子部の電気接点に接続し、２以上のＤＳ−ＤＢＲ格子部の一つの格子サブ領域に電気的バイアスを同時に供給する。
【００１２】
このように、共通電極からバイアスが印加されると、２以上のＤＳ−ＤＢＲ格子部の格子サブ領域のそれぞれに同時にバイアスが印加される。正の電気接点に接触する共通電極は、各ＤＳ−ＤＢＲ格子部内の一つのサブ領域の電気接点にのみ接続するように配置されてもよい。しかし、このようなシステムでは、単一の共通電極が、負の電気接点の全てを共通の帰還として接続してもよい。
【００１３】
いくつかの実施形態では、共通電極構造は、複数であるＭ個の共通電極を含み、Ｍ個の共通電極の各々は、ＤＳ−ＤＢＲ格子部の各電気接点に接続して、各ＤＳ−ＤＢＲ格子部のＭ個の格子サブ領域のそれぞれに同時に電気的バイアスを供給する。
【００１４】
このように、Ｍ個の共通電極のうちの所定の一つにバイアスが印加されると、この電極は、複数であるＰ個のＤＳＲ格子部の中から対応するサブ領域を選択する。
【００１５】
共通電極は、各ＤＢＲ内の特定の格子サブ領域にバイアスを印加するように構成してもよい。例えば、第１の共通電極は、Ｐ個のＤＳ−ＤＢＲ格子部のそれぞれの第１の格子サブ領域（すなわち、導波路への入口に最も近い）にバイアスを印加するように構成してもよい。第２の共通電極は、複数であるＰ個のＤＳＲ格子部のそれぞれの第２の格子サブ領域（すなわち、導波路の入口に２番目に近い）にバイアスを印加するように構成してもよい。第３の共通電極は、複数であるＰ個のＤＳＲのそれぞれの第３の格子サブ領域にバイアスを印加するように構成できる。複数であるＰ個のＤＳＲの一つであるＭ番（すなわち、最後の）格子サブ領域にバイアスを印加するように構成されるＭ番の共通電極まで続いて同じパターンで接続されてもよい。
【００１６】
各格子サブ領域は、二つの物理的な電気接点、例えば接触パッド、正の電極に接続するための正の接点（共有されても、されなくても）、及び負の電極に接続するための負の接点（共有されても、されなくても）からなる１対の電気接点を有する。
【００１７】
格子部は、極性が交互になるように配置されてもよい。このように、各格子サブ領域は、二つの最も近い近傍の格子サブ領域と逆方向である。
【００１８】
任意ではあるが、Ｍ個の共通電極の全てが正電極でもよい。
【００１９】
いくつかの実施形態では、正の共通電極の数にかかわらず、単一の共通の負電極が、すべてのＤＳ−ＤＢＲの各格子サブ領域の電気接点に接続してもよい。このように、正の電極のそれぞれに印加されるバイアスによって、所望の格子サブ領域を選択できる。
【００２０】
他の実施形態では、マルチセクションデジタルスーパーモード分布ブラッグ反射器は、複数であるＰ個の共通の負電極を含んでもよく、Ｐ個の共通の負電極の各々は、複数のＰ個のＤＳ−ＤＢＲの中の所定の一つの格子サブ領域の全てに負のバイアスを印加するように構成される。このように、選択が望まれるＤＳ−ＤＢＲに対応する共通の負電極に負のバイアスを印加することによって、ＭＳＤＳ−ＤＢＲを大まかに選択できる。そして、所望の格子サブ領域に電気的に接触する共通の正の電極に正のバイアスを供給することによって、ＭＳＤＳ−ＤＢＲを詳細に選択できる。
【００２１】
任意ではあるが、各ＤＳ−ＤＢＲは、透過型ＤＳ−ＤＢＲでもよい。
【００２２】
あるいは、各ＤＳ−ＤＢＲは、反射ＤＳ−ＤＢＲでもよい。
【００２３】
Ｍ及びＰは少なくとも２であり、実際の製造と電気的接触と駆動の制約によって制限される最大値を有する。任意ではあるが、ＭＳＤＳ−ＤＢＲ内のＤＳ−ＤＢＲの数であるＰは４以上でもよい。各ＤＳ−ＤＢＲ内の格子サブ領域の数であるＭも、また４以上でもよい。Ｐ＝４かつＭ＝４である場合、ＭＳＤＳ−ＤＢＲは、（１６個の格子サブ領域に対応する）１６個の異なるスペクトルサブバンドの一つを選択するためのメカニズムを提供する。別の実施形態では、Ｐ及び／又はＭは７以上でもよい。
【００２４】
本発明の実施形態の第２の態様によれば、半導体光増幅器（ＳＯＡ）と、第１の態様のマルチセクションデジタルスーパーモード分布ブラッグ反射器（ＭＳＤＳ−ＤＢＲ）とを備える離散波長可変レーザが提供される。
【００２５】
ＭＳＤＳ−ＤＢＲが複数の正の共通電極と、一つだけの負電極を含む場合、波長可変レーザは、複数であるＰ個のスペクトル通過帯域を有する粗スペクトルフィルタを備える。このように、粗スペクトルフィルタは、Ｐ個の異なるスペクトル通過帯域の一つの選択を可能にし、その各々はレーザのＳＯＡの全帯域幅内に入る。多重セクションのデジタルスーパーモード分布ブラッグ反射器（ＭＳＤＳ−ＤＢＲ）は、Ｐ個の通過帯域内のスペクトルサブ領域を選択するための微調整を行う。大まかな選択によって選択されたスペクトル領域と、細かい選択によって選択されたスペクトル領域とのスペクトルの重なりは、レーザのレーザ発振モードを提供する。したがって、本発明によって提供される波長可変レーザは、一次制御用のＤＡＣに依存しない点で有利である。
【００２６】
任意ではあるが、粗スペクトルフィルタは、複数であるＰ個の透過帯域を有する透過ＤＳ−ＤＢＲ（ＴＤＳ−ＤＢＲ）でもよく、Ｐ個の透過帯域の各々は、マルチセクションデジタルスーパーモード分布ブラッグ反射器（ＭＳＤＳ−ＤＢＲ）のＤＳ−ＤＢＲの一つの所定のスペクトル領域にそれぞれ対応する。
【００２７】
本発明の実施形態の第３の態様によれば、離散波長可変レーザが提供され、ＳＯＡと、ＳＯＡの利得帯域幅内でＰ個の異なるスペクトル通過帯域を通過させるように構成された粗スペクトル用の粗スペクトルフィルタと、実施形態の第１の態様又は第２の態様のいずれか一つによる微調整のためのマルチセクションデジタルスーパーモード分布ブラッグ反射器（ＭＳＤＳ−ＤＢＲ）を備え、粗スペクトルフィルタのＰ個の通過帯域の各々は、マルチセクションデジタルスーパーモード分布ブラッグ反射器（ＭＳＤＳ−ＤＢＲ）のＤＳ−ＤＢＲのうちの一つの所定のスペクトル領域に対応する。
【００２８】
任意ではあるが、粗スペクトルフィルタは、透過型ＤＳ−ＤＢＲ（ＴＤＳ−ＤＢＲ）であり、ＴＤＳ−ＤＢＲは、複数であるＰ個の透過帯域を有し、Ｐ個の透過帯域のそれぞれは、マルチセクションデジタルスーパーモード分散ブラッグ反射器（ＭＳＤＳ−ＤＢＲ）のＤＳ−ＤＢＲの一つの所定のスペクトル領域に対応する。
【００２９】
このように、ＴＤＳ−ＤＢＲは、ＳＯＡの利得帯域幅内にあるバイアス電流の印加時に、Ｐ個のスペクトル透過帯域のいずれか一つを透過させるように構成される。各ＤＳ−ＤＢＲ格子部は、ＴＤＳ−ＤＢＲのＰ個の通過帯域の透過帯域内のスペクトルのＭ個のサブ領域を透過又は反射するように構成される。
【００３０】
ＭＳＤＳ−ＤＢＲ格子内のＰ個のＤＳ−ＤＢＲ格子の各々における一つのスペクトルサブ領域Ｍの電気接点は、共通の制御電極に接続されてもよい。
【００３１】
任意ではあるが、ＳＯＡは反射半導体光増幅器（ＲＳＯＡ）でもよい。このように、利得媒質の後端面は完全な反射面となる。レーザキャビティの出力は、ＲＳＯＡに対するキャビティの反対側の端部に位置する。ＭＳＤＳ−ＤＢＲが透過性である場合、広帯域ミラーがレーザキャビティの出力ミラーを形成する。ＭＳＤＳ−ＤＢＲが反射性である場合、ＭＳＤＳ−ＤＢＲ自体がレーザキャビティの出力ミラーを形成する。
【００３２】
本発明の実施形態の第３の態様によれば、離散波長可変レーザが提供され、ＳＯＡと、各サブ領域がＤＳ−ＤＢＲのスペクトル領域内のスペクトルサブバンドに対応するＮ個の格子サブ領域を有する単一の反射型ＤＳ−ＤＢＲ格子とを備え、各格子サブ領域は正の電気接点と負の電気接点とを有し、単一の制御回路が、Ｎ個の格子サブ領域のそれぞれの正及び負の電気接点間に電気的バイアスを印加して、前記格子サブ領域の各々がそれぞれのスペクトルサブバンドで光を透過又は反射するかを制御する。
【００３３】
１又は複数の接点に離散的な所定の電流を同時に加えることによって、ある固定のサブバンドの反射率を向上する。一つの実施形態では、単一のＤＳ−ＤＢＲは、Ｎ＝１６セクション（すなわち、１６個の格子サブ領域）を有する。また、一実施形態では、単一のＤＳ−ＤＢＲは、Ｎ＝４９セクション（すなわち、４９個の格子サブ領域）を有する。
【００３４】
本明細書に開示された反射性ＭＳＤＳ−ＤＢＲのいずれも、ＳＯＡのスペクトル出力の不均一性を形成するように、反射率を調整できる。例えば、出力パワーが低いＳＯＡの利得帯域幅の部分の波長に対応する格子サブ領域は、ＭＳＤＳ−ＤＢＲ内の他の格子サブ領域に比べて反射率が高くなる。
【００３５】
同様に、透過型ＭＳＤＳ−ＤＢＲの場合、ＳＯＡからの波長依存性利得変動を補償するために、格子サブ領域の相対透過率の値を変更してもよい。
【００３６】
１又は複数のＤＳ−ＤＢＲの各々は、好ましくは位相調整領域を含む位相調整可能な分散ブラッグ反射器でもよく、そのキャリア密度はバイアス電流又はバイアス電圧の印加によって操作できる。バイアスは、順バイアス又は逆バイアスでよく、選択された位相調整領域の特性に応じて選択するとよい。バイアスの調整によって、ＤＳ−ＤＢＲの当該領域の反射率スペクトル又は透過率スペクトルの周波数空間における位相及び位置が調整される。位相調整領域は、ＤＳ−ＤＢＲの一部又は全部でもよい。
【００３７】
任意ではあるが、位相同調領域は、ｐｎ接合デバイスを含む。このように、ｐｎ接合デバイスは、電気的に同調可能な位相調整領域を提供し、それによって逆バイアスを変化させて印加することによるキャリア空乏を通じて、ＤＢＲの反射スペクトルの位相を調整できる。ｐｎ接合は、ｐ+−ｐ−ｎ−ｎ+又はｐ++−ｐ+−ｐ−ｎ−ｎ+−ｎ++構造でもよい。
【００３８】
ＭＳＤＳ−ＤＢＲは、反射性でもよい。この場合、出力ミラーは必要ない。
【００３９】
あるいは、ＭＳＤＳ−ＤＢＲは、透過性を有してもよい。この場合、出力ミラーは光広帯域ミラーでもよい。このようなミラーは、５〜５０％、典型的には１０％より大きい、さらに２０％より大きい反射率を有するとよい。
【００４０】
任意ではあるが、上記態様のいずれか一つの場合、離散波長可変レーザは、レーザの波長を微調整するための一つ又は複数の位相調整部をさらに備えてもよい。
【００４１】
この位相調整部は、ＤＳ−ＤＢＲの一部を形成する任意の位相調整部から分離される。微同調位相調整部は、温度又は他の環境要因によるドリフトを補償するために使用されてもよい。
【００４２】
シリコン光学導波路では、例えば、導波路の全幅に沿って、導波路の頂部に一定の深さ（通常は２００〜５００ｎｍ）を有する歯をエッチングすることによって格子が生成される。本発明のいずれか一つの実施形態では、レーザ及び／又はＭＳＤＳ−ＤＢＲを含む導波路プラットフォームのシリコン上層の厚さは、１μｍ以上でかつ４μｍ以下でもよい。さらにより好ましくは、導波路プラットフォームのシリコン上層の厚さは、２．５μｍ以上でかつ３．２μｍ以下である。好ましくは、導波路プラットフォームの一つ以上の導波路のリッジの幅は、１μｍ以上、好ましくは４μｍ以下である。さらにより好ましくは、導波路のプラットフォームの一つ以上の導波路のリッジの幅は、２．５μｍ以上でかつ３．２μｍ以下である。
【００４３】
本出願を通じて、「光」への言及は、赤外波長及び紫外波長及び可視スペクトルの電磁放射を含むと理解すべきである。レーザの出力波長における範囲は、使用される半導体利得媒体に依存し、この範囲は０．４〜２０μｍの範囲内に入る。シリコン・オン・インシュレータ（ＳＯＩ）プラットフォームを考慮すると、調整可能なＳＯＩレーザの波長範囲は、１．１〜１．７μｍでもよい。
【００４４】
以下に本発明の実施形態のさらなる任意の特徴を示す。
【図面の簡単な説明】
【００４５】
本発明の特徴及び利点は、明細書、特許請求の範囲及び添付の図面を参照して理解されるであろう。
【００４６】
【図１Ａ】透過型ＭＳＤＳ−ＤＢＲを含む離散波長可変レーザの概略図を示す。
【図１Ｂ】反射型ＭＳＤＳ−ＤＢＲを含む別の波長可変レーザの概略図を示す。
【図２】図１Ａ又は図１Ｂの離散波長可変レーザのモード選択を説明する概略図を示す。
【図３】別の離散波長可変レーザの概略図を示す。
【図４】さらに別の離散波長可変レーザの概略図を示す。
【発明を実施するための形態】
【００４７】
添付の図面に関連して以下に述べる詳細な説明は、本発明に従って提供される離散波長可変レーザの例示的な実施形態の説明として意図されており、本発明を構成又は利用できる唯一の形態を表すことを意図するものではない。以下の説明では、図示された実施形態に関連して本発明の特徴を説明する。しかし、本発明の思想及び範疇内に包含されることが意図された異なる実施形態によって、同じ又は同等の機能及び構造が達成され得ることが理解されるべきである。本明細書の別の場所に示す同様の要素の符号は同様の要素又は特徴を示すことを意図している。
【００４８】
図１Ａは、本発明による離散波長可変レーザ１００を示す。
【００４９】
この態様では、光キャビティは、ＲＳＯＡ６０１と、Ｐ個のセクションとを有し、対応するＰ個のスペクトル領域又はバイアス電流の印加時のＲＳＯＡの利得帯域幅内の幅Ｗの「粗スペクトル領域」の一つを透過するように構成された透過型デジタルスーパーモード分布ブラッグ反射器（ＴＤＳ−ＤＢＲ）６０５と、マルチセクションデジタルスーパーモード分布ブラッグ反射器（ＭＳＤＳ−ＤＢＲ）６０６とから構成され、ＭＳＤＳ−ＤＢＲは、複数であるＰ個のＤＳ−ＤＢＲ格子部又は「ＤＳ−ＤＢＲ」を有し、各ＤＳ−ＤＢＲは、他のＤＳ−ＤＢＲのスペクトル領域とは異なる所定のスペクトル領域の光を通過（透過）又は反射する。
【００５０】
各ＤＳ−ＤＢＲは、複数であるＭ個の格子サブ領域と、格子サブ領域に対する複数であるＭ個の電気接点の対を備える。各対の電気接点は、正極構造への接続のための「正の電気接点」と、負の電極構造への接続のための「負の電気接点」とを備え、ＤＳ−ＤＢＲは、Ｍ個の電気接点の対のそれぞれに電気的バイアスが印加されると、所定のスペクトル領域内のＭ個の異なるスペクトルサブバンドのいずれかを透過又は反射するように構成される。
【００５１】
ＭＳＤＳ−ＤＢＲ格子は、チャープ型ブラッグ反射器でもよい。ＭＳＤＳ−ＤＢＲにバイアスが加えられていない場合、ＭＳＤＳ−ＤＢＲの各格子部の各サブ領域は、スペクトルサブバンド内の波長を反射してもよく、その結果、ＭＳＤＳ−ＤＢＲは、スペクトルサブバンドの結合である全てのスペクトル範囲で反射性がある。ＭＳＤＳ−ＤＢＲの第１のサブ領域（バイアスされていない場合、第１のスペクトルサブバンドの光を反射するように構成されている）にバイアスが印加されると、サブ領域の屈折率が変化し、それ故、第２の（例えば、隣接する）スペクトルサブバンドに重なるように、サブ領域が反射的である波長の範囲をシフトできる。これは、第１のスペクトルサブバンドにおける反射率を減少（すなわち、透過率を増加）させ、第２のスペクトルサブバンドにおける反射率を増加させることがある。例えば、ＭＳＤＳ−ＤＢＲは、各々が６．４ｎｍ幅の七つのスペクトル領域から構成された１５２７．６〜１５７２．４ｎｍの全スペクトル範囲を有してもよく、それぞれは０．８ｎｍ幅の八つのスペクトルサブバンドから構成される。
【００５２】
ＴＤＳ−ＤＢＲは、同様の全スペクトル範囲を有してもよく、同様の方法で動作してもよい。それは、さらにサブ領域に分割されないＰ個のセクションから構成されてもよく、その結果、ＴＤＳ−ＤＢＲの反射率及び透過率は、ＭＳＤＳ−ＤＢＲのスペクトルサブバンドよりも広い比較的粗いスペクトル領域にわたって制御されてもよい。例えば、ＴＤＳ−ＤＢＲは、それぞれ６．４ｎｍ幅の七つのスペクトル領域を有し、それぞれがＭＳＤＳ−ＤＢＲの対応するスペクトル領域と重複する。
【００５３】
ＭＳＤＳ−ＤＢＲ６０６は、複数であるＭ個の共通正電極６０６−１、６０６−２、…、６０６−７と、一つの共通負電極とから構成される共通電極構造を含む。
【００５４】
Ｍ個の共通正電極の各々は、各ＤＳ−ＤＢＲ上の電気接点に接続しており、各ＤＳ−ＤＢＲのＭ個の格子サブ領域の各々に電気的バイアスを同時に供給する。例えば、図１Ａから分かるように、第１の共通電極６０６−１は、第１のＤＳ−ＤＢＲの第１の格子サブ領域及び第２のＤＳ−ＤＢＲの第１の格子サブ領域に接続し、Ｐ番目のＤＳ−ＤＢＲまで続いて同じパターンで接続される。
【００５５】
このように、Ｍ個の共通電極のうちの所定の一つ、例えば第１の共通正電極６０６−１にバイアスが印加されると、共通電極は、ＭＳＤＳ−ＤＢＲの各ＤＳ−ＤＢＲの第１の格子サブ領域に同時にバイアスを印加する。このため、複数であるＰ個のＤＳ−ＤＢＲのそれぞれの中の対応するスペクトルサブバンドを選択する。
【００５６】
これは、図２の下部に示すように、ＤＳ−ＤＢＲ内のＰ個の選択されたスペクトルサブバンドのくし歯を生じさせてもよい。選択されたスペクトルサブバンドの各々は、対応するＤＳ−ＤＢＲのＭ個のスペクトルサブバンドｓ１、ｓ２、…、ｓＭの一つである。
【００５７】
ＴＤＳ−ＤＢＲ６０５及びＭＳＤＳ−ＤＢＲ６０６のスペクトルプロファイルは、ＭＳＤＳ−ＤＢＲによって生成されるくし歯の周期がＴＤＳ−ＤＢＲのＰ領域のそれぞれのスペクトル幅に等くなるように選択される。離散波長可変レーザのレーザモードは、透過型ＤＳ−ＤＢＲの選択されたスペクトル透過帯域とＭＳＤＳ−ＤＢＲの選択されたくし歯のスペクトル帯域の一つとの重なり合いによって選択される。
【００５８】
このように、図２に示すように、第１のＴＤＳ−ＤＢＲの制御電極６０５−１、６０５−２、…、６０５−Ｐの一方に選択バイアスを印加し、ＭＳＤＳ−ＤＢＲの共通制御電極の一つに選択バイアスを印加することによって、ＲＳＯＡの利得スペクトルにおけるＭｘＰモードがデジタル的に選択される。従って、ＭｘＰ制御電極の一つに対して、Ｍ＋Ｐ制御電極の二つを制御することで十分であり、それによってデジタル制御の数を単純化し、デジタル駆動回路への接続数を減らし、従来のＳＧ−ＤＢＲ及び／又はＤＳ−ＤＢＲのみを使用するデジタル方式に必要とされるデジタル駆動回路を単純化する。
【００５９】
さらに、ＡＷＧ（Ａｒｒａｙｅｄ  Ｗａｖｅｇｕｉｄｅ  Ｇｒａｔｉｎｇ）などの受動光部品ではなく、大まかな選択用のＴＤＳ−ＤＢＲを用いることによって、レーザ共振器の全体サイズを大幅に縮小できる。組み合わされたＴＤＳ−ＤＢＲ及びＭＳＤＳ−ＤＢＲ格子の長さは、ＡＷＧの長さよりも短くできる。
【００６０】
図２の実施形態では、第１の制御パッドにバイアスが印加されたときのＴＤＳ−ＤＢＲのＰ個のセクションのうちの特定の一つに対応する透過スペクトルが示される。ここで、制御パッドは、電極とドープされたシリコンとの間の電気的接触を形成するためのシリコンのｐ又はｎがドープされた領域に接触する金属領域として定義される。ＭＳＤＳ−ＤＢＲの反射率（又は透過率）スペクトルは、ＴＤＳ−ＤＢＲの透過スペクトルの下に示される。見て分かるように、５番目の共通制御パッドに印加された電気的バイアスは、結果として透過又は反射スペクトルをＰ回繰り返す。ＴＤＳとＭＳＤＳ−ＤＢＲとの透過スペクトルの並び方は、（ＭｘＰモードからの）第５のモードの発振をもたらす。
【００６１】
図１Ａに示す実施形態では、ＭＳＤＳ−ＤＢＲを構成するＤＳ−ＤＢＲは、すべて透過型ＤＳ−ＤＢＲであり、格子サブ領域にバイアスを印加して格子サブ領域を「選択」すると、ＤＳ−ＤＢＲが特定のスペクトルサブバンドを透過する。従って、レーザは、レーザキャビティを完成するための広帯域ミラー格子のような広帯域出力ミラー６１０を有してもよい。透過型ＭＳＤＳ−ＤＢＲでは、Ｎ個以上の可能な共振器モードがレーザの全スペクトル領域内に存在するように、また、Ｎ個以上の可能な共振器モードの少なくとも一つがＰ個の粗いスペクトル領域のそれぞれのスペクトルサブバンドＭの各々とオーバーラップするように、共振器の長さが広帯域ミラー格子６１０によって設定される。広帯域ミラーは、スペクトルのすべての領域内で透過型ＭＳＤＳ−ＤＢＲより高い反射率を有する。
【００６２】
スペクトラムサブバンドにおける最適位置へのキャビティモードの正確な整列は、付加的な別の位相同調部（６０３）によって、又はＤＳ−ＤＢＲの電極上のバイアスの付加的な微調整によって達成できる。
【００６３】
ＭＳＤＳ−ＤＢＲ構造の設計において、高反射率ブロードバンドミラー（ＨＲ−ＢＢＭ）に起因する定在波モードの波長を考慮に入れることができる。
【００６４】
ＢＢＭ反射率は、所望のレーザスロープ効率、及び出力のパワーと安定性を生じるように調整でき、より小さいＦＰ（ファブリ・ペロー）ピークを有し、大きな光出力パワーを得るように、小さく、例えば５〜１０％程度に調整できる。又は、安定性を向上するが、出力スロープの効率及び出力を低下するため、５０〜７０％に高くしてもよい。ＳＯＡは、ＴＤＳ−ＤＢＲ及びＭＳＤＳ−ＤＢＲの全スペクトル範囲外の波長の一つより小さい波長で、往復利得が十分に低くなるように設計されてもよい。同様に、ＴＤＳ−ＤＢＲの全スペクトル範囲は、ＭＳＤＳ−ＤＢＲのスペクトル領域に対応していない格子領域（受動的でもよく、例えば、電気的に制御されなくてもよい）を一方又は両方の端部に含むように、ＭＳＤＳ−ＤＢＲの全スペクトル範囲よりも大きくなるように選択してもよくＭＳＤＳ−ＤＢＲの全スペクトル範囲内ではない波長でのレーザ発振を防止できる。
【００６５】
そして、レーザは、透過帯域が選択されたＴＤＳ−ＤＢＲとサブバンドが選択されたＭＳＤＳ−ＤＢＲとが結合した透過窓内のモードで発振できる。ＴＤＳ−ＤＢＲ格子の位置及び特性とＭＳＤＳ−ＤＢＲ格子とＢＢＭとを選択することによって、この透過窓外の波長でのレーザ発振を回避でき、この透過窓外の波長では、ＴＤＳ−ＤＢＲ格子とＭＳＤＳ−ＤＢＲ格子とＢＢＭとによって形成された複合ミラーから反射された電界の大きさは、透過窓内で反射された場の大きさより小さくできる。例えば、この波長では、ＴＤＳ−ＤＢＲ格子とＭＳＤＳ−ＤＢＲ格子とＢＢＭからの反射は同相でなくてもよく、部分的にキャンセルしてもよい。
【００６６】
全ての格子（ＭＳＤＳ−ＤＢＲ、ＴＤＳ−ＤＢＲ、及び広帯域反射器）の格子長さ（格子長さは、第１のノッチの前端から最終のノッチの終端までの長さである）は、重要な役割を果たす。格子の全長は、可能な限り短くてもよく、例えば全長は５００μｍより小さいが、長さは１００μｍ以下から２ｍｍまでの範囲でもよい。
【００６７】
格子は、ＳＯＩ導波路の上部、側壁、及び／又はスラブ内にエッチングによって形成されてもよい。
【００６８】
ＭＳＤＳ−ＤＢＲ６０６の格子は、一つの導波路内に製作され、電極は、導波路の長さをできるだけ短くして、必要な数のＤＳ−ＤＢＲ格子を与えて、適切に導波路に沿って互いにかみ合わせる。
【００６９】
図１Ａには、三つのＤＳ−ＤＢＲ格子だけを示すが、当業者であれば、複数のＤＳ−ＤＢＲ格子を導波路内に製作して、レーザキャビティ用の波長選択可能前方反射器（a wavelength selectable front reflector）を製造できる。例えば、それぞれが七つの状態を有する七つのＤＢＲ格子を用いて４９個の反射サブバンドが可能である。ＤＳ−ＤＢＲ６０５は、図２に示すように透過波長を選択する。
【００７０】
図１Ａに示すように、Ｍ個のサブ領域は、各サブ領域がその両側の二つの領域と逆の極性を有するように、極性を交互に並べる。しかし、代替の実施形態（図示せず）では、すべてのサブ領域が同じ極性を有してもよい。サブ領域の全てが同じ極性を有する場合、全ての正の電極は格子の一方の側にあり、全ての共通に接続された負の電極は格子の反対側で結合する。
【００７１】
各ＤＳ−ＤＢＲは、格子長が増加する格子ピッチを有するチャープ型の格子サブ領域から構成される。
【００７２】
各ＤＳ−ＤＢＲ格子部は、連続したサブ領域から形成してもよい。各サブ領域は、ｐ及びｎドープ領域と、ダイオードを形成するためにｐ及びｎドープ領域に電気的に接続された関連する正及び負の電極（コンタクトパッドのような電気的接触を介して）を含んでもよい。各ダイオードと隣接するダイオードとの間の電気的分離は、格子における伝搬方向に沿って隣接する電極を物理的に分離することによって達成される。セパレーション（すなわち、隣接する電極間のギャップ）は、その反射率又は透過率を変化させるために、その電極から一つのダイオードに印加されるバイアスが、隣接するダイオードにバイアスを生じさせないほど十分に大きい。隣接する電極の物理的分離と同様に、隣接するダイオードのｐ及びｎドープ領域は物理的に互いに分離して、あるダイオードとその近傍とを格子伝搬方向に沿ってさらに電気的に絶縁できる。
【００７３】
各ＤＳ−ＤＢＲは、各格子サブ領域はわずかに異なる格子周期を有し、異なる格子周期は各格子サブ領域に対応する異なるスペクトルサブバンドに対応する。より長い波長のスペクトル領域をカバーするＤＳ−ＤＢＲは、より長い周期の格子で構成できる。
【００７４】
任意の二つのＤＳ−ＤＢＲの間のギャップを最小にするために、隣接するＤＳ−ＤＢＲ間の間隔は、小さくし、ほぼゼロでもよい。ギャップは、電気的な分離のために十分に大きくしてもよい。
【００７５】
一つの電極に印加された電流は、隣接する領域には広がらない。電極は接点分離によって分離される。他の実施形態では、分離ギャップにｐ+ドーピングをせず、金属膜を形成（metallization）しない。
【００７６】
図１Ｂに、別の離散波長可変レーザ２００を示す。図１Ｂのレーザは、透過型ＭＳＤＳ−ＤＢＲの代わりに反射型ＭＳＤＳ−ＤＢＲを含む点で、図１Ａのものと異なる。反射ＭＳＤＳ−ＤＢＲ自体がレーザキャビティの出力ミラーを形成するので、さらなる広帯域ミラーがレーザに存在しなくてもよい。反射型ＭＳＤＳ−ＤＢＲ構造において、キャビティの長さはより短くてもよい。さらに、ＴＤＳ−ＤＢＲ６０５は、図２に示すように、送信波長を選択する。ＴＤＳ−ＤＢＲは、バイアスが印加されたときの最大反射率がＭＳＤＳ−ＤＢＲの最大反射率より小さくなるように設計され、ＴＤＳ−ＤＢＲから反射する光の往復利得が１未満である。
【００７７】
図１Ａ及び図１Ｂに示す実施形態は、ＤＳ−ＤＢＲ格子だけを含んでもよく、物理的サイズが比較的小さくてもよい。そして、スイッチング用のＤＡＣを使用しなくてもよい。他の実施形態では、経時又は環境によるドリフトに応答して波長全体を調整するために、位相同調部６０３の制御用の遅いＤＡＣが含まれる。
【００７８】
波長可変レーザ３００の別の実施形態を図３に示す。図３のレーザは、図１Ｂのものと異なり、ＴＤＳ−ＤＢＲが除去され、負電極を分離して選択可能に構成することによって、図１Ａ及び図１ＢのＴＤＳ−ＤＢＲによる大まかな選択機能がＭＳＤＳ−ＤＢＲに組み込まれる。そして、複数であるＰ個のＤＳ−ＤＳＲの各々に共通の負電極が設けられる。
【００７９】
この場合、共通制御電極ｆ１、ｆ２、…、ｆＭ（図３ではＭ＝７）の選択された一つに正の電圧を印加することによって、レーザ発振のためにチャネルが選択され、選択された制御電極は、先の実施形態と同様に、選択されるべきチャネルに対応するサブバンドに関連付けられる。そして、十分な負の電圧が負電極の一つのみに印加され、選択されているチャネルを含むスペクトルの粗領域に対応するＤＳ−ＤＢＲのダイオードのみがオンになる。
【００８０】
他のＰ−１負電極に印加される負電圧は、共通制御電極への正電圧の印加に起因する他のＤＳ−ＤＢＲ格子上の同じサブバンドのダイオードの電圧降下が、それらのターンオン電圧より低い。
【００８１】
他の実施形態では、図３のものと異なり、ＭＳＤＳ−ＤＢＲは、粗な負電極を有する反射型ＭＳＤＳ−ＤＢＲの形態をとる。
【００８２】
図４に示すように、一実施形態では、Ｎ個の対応する正電極ｅ１、ｅ２、…、ｅＮを有する一つの反射型ＮセクションＤＳ−ＤＢＲ格子が、同調可能レーザの同数の離散波長状態を生成するために使用される。一実施形態では、Ｎ＝４９であり、他の実施形態では、Ｎは４９より大きくても小さくてもよい。
【００８３】
本実施形態では、ＭｘＰ制御電極の一つを制御する一つの制御回路を用いてもよい。格子設計は単純であり、制御回路はより簡単であり、レーザキャビティの長さを短くできる。しかし、制御電極の数は、図１Ａ、図１Ｂ及び図３の実施形態のＭ＋Ｐと比較して、例えばＭｘＰのように大きくてもよい。特に、必要とされるレーザモードの数Ｎが、４９個の格子サブ領域を含む図示された実施形態よりはるかに高い数に調整される場合、多くの電極は、制御回路を接続して管理することがより困難になる。
【００８４】
離散波長可変レーザの例示的な実施形態を本明細書で具体的に図示し説明したが、当業者には多くの変更及び変形が明らかであろう。したがって、本発明の原理に従って構成された離散波長可変レーザは、本明細書に具体的に記載されたもの以外に具体化され得ることが理解されるべきである。本発明は、添付の特許請求の範囲及びその均等物も含むものである。
【図１Ａ】
2018532277.tif 000003
【図１Ｂ】
2018532277.tif 000004
【図２】
2018532277.tif 000005
【図３】
2018532277.tif 000006
【図４】
2018532277.tif 000007
【国際調査報告】
2018532277.tif 000008
2018532277.tif 000009
2018532277.tif 000010